(57)【要約】【課題】この発明は流体を流す配管経路の中で用いられる配管ヘッダー部材に関するもので、配管ヘッダ−部材を連結した部位からの漏水をなくそうとする新たな技術の提供である。２‥配管ヘッダー部材、３‥分岐ロ、４‥流体通路、５‥パイプ状接続部、６‥ワンプッシュ型継手部、７‥Ｏ−リング、８‥パイプ保持リング、９‥サポートスリーブ、１１‥有底保護筒、１２‥キャップ。【解決手段】内部に流体通路が形成され、かつ流体を複数に分岐配分する分岐口を備え、前記流体通路の一端にパイプ状接続部を形成し、他端にパイプ状接続部と嵌合するＯ−リング及びパイプ保持リングを内蔵したワンプッシュ型継手部からなる配管ヘッダー部材であって、パイプ状接続部の外周に有底保護筒が嵌め込まれ、好ましくは、分岐口を、パイプの先端に嵌め込まれるサポートスリーブを継手部内に内包した状態でキャップをもって封止した配管ヘッダー部材。【選択図】図２
2004204659.tif 000002
【特許請求の範囲】
【請求項１】
内部に流体通路が形成され、かつ流体を複数に分岐配分する一個又は複数の分岐口を備え、前記流体通路の一端にパイプ状接続部を形成し、他端にパイプ状接続部と嵌合するＯ−リング及びパイプ保持リングを内蔵したワンプッシュ型継手部からなる配管ヘッダー部材であって、パイプ状接続部の外周に保護筒が嵌め込まれて保管・運搬に供せられることを特徴とする配管ヘッダー部材。
【請求項２】
保護筒が有底である請求項１記載の配管ヘッダ−部材。
【請求項３】
分岐口を、パイプの先端に嵌め込まれるサポ−トスリ−ブを継手内に内包した状態でキャップをもって封止した請求項１又は２記載の配管ヘッダ−部材。
【発明の詳細な説明】
【０００１】
【発明の属する技術分野】
この発明は流体を流す配管経路の中で用いられる配管ヘッダー部材に関するものである。
【０００２】
【従来の技術】
戸建て住宅や集合住宅の台所、浴室、洗面所、洗濯機等の水廻り機器への給水・給湯は、給水源或いは給湯ボイラーから給水管・給湯管にて行われるが、それらの給水・給湯配管経路中に配管分岐ヘッダーが多用され、これによって各水廻り機器へ給水・給湯が行われている。
【０００３】
例えば、特許文献１に示すように、従来の配管分岐へッダーの内、分岐管接続口を備えた分岐ヘッダー部材を複数連結し、必要な数の分岐管接続口を構成しその前後に端部ヘッダー部材を連結して構成されるものがある。各ヘッダーの連結は接続凸部と接続凹部をねじ込み嵌合させて接続するのが主である。
【０００４】
【特許文献１】特開２００２−３９４８４号公報
【０００５】
【発明が解決しようとする課題】
しかるに、各ヘッダー部材の接続にあっては、ねじ込み式であるが故にかなり広い作業スペースを必要とし、全ての分岐管接続口が所定の方向を向かせることは難しいものであった。又、各ヘッダー部材の連結の際に、漏水の危険性もあり、これを防ぐことが課題となっていた。
【０００６】
又、ヘッダー部材内に異物が入ってしまっては全く使用に供されなくなるもので、これに対しても対策をとる必要があるが、これまでは対策は殆ど取られていなかった。
【０００７】
【課題を解決するための手段】
本発明は、内部に流体通路が形成され、かつ流体を複数に分岐配分する一個又は複数の分岐口を備え、前記流体通路の一端にパイプ状接続部を形成し、他端にＯ−リング及びパイプ保持リングを内蔵したワンプッシュ型継手部からなる配管ヘッダー部材であって、パイプ状接続部の外周に好ましくは有底の保護筒が嵌め込まれて保管・運搬に供せられるものであり、更に好ましくは、分岐口を、パイプの先端に嵌め込まれるサポ−トスリ−ブを継手内に内包した状態でキャップをもって封止した配管ヘッダ−部材である。
【０００８】
【発明の実施の形態】
本発明は、主として合成樹脂製の配管ヘッダー部材にかかるもので、傷を付けることは許されないパイプ状接続部には好ましくは有底の保護筒を嵌め込み、又、継手部の流体通路内に異物が入らないために継手部をキャップをもって覆うのがよく、更には、パイプの先端に嵌め込まれるサポートスリーブを継手部内に内包した状態でキャップするものである。このように、本発明の特徴はパイプ状接続部の外表面が保護されるとともに、流体通路内部にも異物が入らないようにしたものである。そして、分岐口にパイプ接続部の内側に嵌め込まれるサポートスリーブを内包してキャップしておけば、パイプ状接続部にサポートスリーブの嵌め忘れはなくなり、漏水の対策にもなる。
【０００９】
尚、分岐口にはＯ一リング及びパイプ保持リングを内蔵したワンプッシュ型継手部であり、この分岐口に他の配管ヘッダ−部材のパイプ接続部を差し込んで分岐管を連結するものである。即ち、本発明をもって得られる配管ヘッダ−は、一つの配管ヘッダー部材のパイプ状接続部を次の配管ヘッダー部材のワンプッシュ型継手部内に嵌合したもので、単にこれらを嵌め込むのみで連結が可能となり、所望の分岐口を有する配管ヘッダーとなったものである。そして、この配管ヘッダー部材は夫々が回転自在となるため、分岐口を一定の向きにしたり、場合によってはその一部の向きを変えることも可能としたものである。更に言えば、連結は単に嵌め込むだけで行われるため、その連結のためのスペースは比較的狭いものでよく、例えば、床下の狭い空間でも作業が容易となるものである。勿論、前記したようにパイプ状接続部の外周表面を保護筒にて覆ったことにより、保管・運搬その他の工程での傷は着かなくなり、配管ヘッダ−を構成する際にこの部位からの漏水は極めて低減されることとなったものである。
【００１０】
【実施例】
以下、好ましい実施例をもって更に詳細に説明すると、図１は本発明の配管ヘッダ−部材の断面図であり、図２は有底保護筒とキャップを配管ヘッダ−部材に装着した際の断面図である。そして、図３はこの配管ヘッダ−部材を接続して構成された配管ヘッダ−の側面図であり、図４はその部分断面図である。
【００１１】
配管ヘッダー部材は流体通路４の一端にパイプ状接続部５と、他端にワンプッシュ型継手部６が備えられている。ワンプッシュ型継手部６にあっては、流体通路４の第１段部４ａ内にＯ−リング７、パイプ保持リング８を内蔵したもので、パイプ状接続部５が差し込まれた際に、Ｏ−リング７がパイプ状接続部５の表面に接して漏水を防ぎ、パイプ保持リング８に備えられた爪８０  がパイプ状接続部５の表面に食い込んで完全に連結されるものである。パイプ状接続部５を差し込む際には、サポートスリーブ９を内挿するのがよく、これによってパイプ状接続部５が内側より支持され、パイプ保持リング８の爪８０  の食い込みを確実にするようにしたものである。第２段部４ｂはパイプ状接続部５の差し込み量又は分岐パイプ１０の差し込み量を規制するものである。
【００１２】
更に、分岐口３にもＯ−リング７、パイプ保持リング８を内蔵したもので、分岐パイプ１０が差し込まれて分岐管を構成するものである。分岐パイプ１０の先端にも勿論サポートスリーブ９が内挿されており、これによってパイプ１０が内側より支持され、パイプ保持リング８の爪８０  の食い込みを確実にする。尚、１３は配管ヘッダー部材２、２ａ、２ｂに螺合され、Ｏ−リング等を外側より抑えるソケットである。
【００１３】
本発明の配管ヘッダー部材を用いて得られた配管ヘッダー１は、配管ヘッダー部材２を連結し、その両端にヘッダー端部部材２ａ、２ｂが連結されている。配管ヘッダー部材２には夫々一つの分岐口３が備えられており、全ての分岐口３が同一方向に向いた例である。勿論、各配管ヘッダー部材２は回転可能に連結されているため、分岐口３は必要に応じていずれの方向にも向かせることができる。尚、ヘッダー端部部材２ａ、２ｂは、ヘッダー部材２の流体通路４に栓を施したものであってもよい。尚、各ヘッダー部材２、２ａ、２ｂはこの例では全て合成樹脂製である。
【００１４】
さて、図示するように配管ヘッダー部材２のパイプ状接続部５には、合成樹脂製の有底保護筒１１が嵌められてパイプ状接続部５の表面が保護され、勿論内部には異物の侵入は阻止される。一方、好ましくは、ワンプッシュ型継手部６及び分岐口３にはこの部位に差し込まれるパイプ状接続部５及び分岐パイプ１０の先端に内挿されるサポートスリーブ９が逆向きで入れられ、合成樹脂製のキャップ１２が嵌め込まれる。このキャップ１２は好ましくはその中央が内側に凹み１２０  が形成されており、この凹み１２０  をサポートスリープ９の端部に嵌め込んだ状態でキャップ１２が嵌め込まれる。
【００１５】
配管ヘッダ−１にあって、ヘッダ−端部部材２ａ、２ｂは任意のものが使用できるが、２ａは全体を一体型に成形したもの、２ｂは端部を封止栓１４にて塞いだ形状のものである。
【００１６】
尚、配管ヘッダ−２のワンプッシュ型２のワンプッシュ型継手部６の構造は上記したものに限定されないことは勿論であり、図５は配管ヘッダー部材２のワンプッシュ型継手部の別例を示す断面図であり、これにキャップ１２を施したものである。部材として既に説明したものは省略するが、パイプ保持リング８の外表面には傾斜面８１  が形成されている。ソケット１３はヘッダー部材２に螺着されており、その内表面には前記傾斜面８１  と対向して傾斜面１３１  が形成されている。これらは図示しない樹脂パイプが挿入され、その後に接触してパイプ保持リング８の爪がパイプの表面に食い込むことになる。勿論、サポートスリーブが内蔵された状態でキャップ１２が嵌め込まれる。
【００１７】
図６は配管ヘッダー部材２の更に別例を示す断面図であり、これにキャップ１２を施したものである。この例では、パイプ保持リング８は段部４ａ内に内蔵されたコレット収納部材２０における内向きのフランジ２２に係止される。尚、このコレット収納部材２０は先端に形成された外向きのフランジ２１にてヘッダー部材２の先端に掛け止めされる。尚、ヘッダー部材２が樹脂製の場合、コレット収納部材２０はそのまま一体として形成される場合もある。サポートスリーブ９が内蔵された状態でキャップ１２が嵌め込まれるのは勿論である。
【００１８】
【発明の効果】
本発明によれば、配管ヘッダ−を構成する各配管ヘッダー部材の連続部に傷を着けることなく保管・運搬が可能となったものであり、これを連結することにより簡単に任意数の分岐口を備えた配管ヘッダーが容易に得ることが可能となり、配管ヘッダー部材は筒体及びキャップによって塞がれているため、異物の侵入がなく、しかもサポートスリープの挿入忘れもなくなり、漏水の発生も著しく低滅されたものとなった。
【図面の簡単な説明】
【図１】図１は本発明の配管ヘッダー部材の一部切断側面図である。
【図２】図２は図１の配管ヘッダ−部材に保護筒及びキャップを装着した際の断面図である。
【図３】図３は各部材を接続した際の配管ヘッダ−の側面図である。
【図４】図４は図３の部分拡大断面図である。
【図５】図５は配管ヘッダー部材２の別例を示す断面図である。
【図６】図６は配管ヘッダー部材２の更に別例を示す断面図である。
【符号の説明】
１‥配管ヘッダー、
２‥配管ヘッダー部材、
２ａ、２ｂ、２ｃ‥ヘッダー端部部材、
３‥分岐ロ、
４‥流体通路、
４ａ、４ｂ‥流体通路の段部、
５‥パイプ状接続部、
６‥ワンプッシュ型継手部、
７‥Ｏ−リング、
８‥パイプ保持リング、
８０  ‥パイプ保持リングの爪、
９‥サポートスリーブ、
１０‥分岐パイプ、
１１‥有底保護筒、
１２‥キャップ、
１２０  ‥キャップの凹み、
１３‥ソケット、
１４‥封止栓。
【図１】
2004204659.tif 000003
【図２】
2004204659.tif 000004
【図３】
2004204659.tif 000005
【図４】
2004204659.tif 000006
【図５】
2004204659.tif 000007
【図６】
2004204659.tif 000008